(57)【要約】【課題】表示部において光量のむらが生じるのを抑制することが可能な表示装置を提供する。【解決手段】この液晶テレビジョン装置（表示装置）１００は、表側側面部１３ｉに入射された光を透過可能に構成され、拡散板１１を拡散板１１の背面側から支持するパネルポスト１３とを備え、パネルポスト１３は、表側側面部１３ｉに対して傾斜した傾斜面１３ｍを有し表側側面部１３ｉに対応する位置に設けられた入光部１３ｋと、光源７から表側側面部１３ｉを介して入光部１３ｋに入光された光をパネルポスト１３の拡散板１１側に導光する導光部１３ｌとを含む。【選択図】図７
2015038829.tif 000002
【特許請求の範囲】
【請求項１】
表示部と、
前記表示部の背面側に配置され、前記表示部に光を照射する光源と、
前記表示部と前記光源との間に配置される光学部材と、
前記光源からの光が側面に入射されるとともに、前記側面に入射された光を透過可能に構成され、前記光学部材を前記光学部材の背面側から支持する光学部材支持部材とを備え、
前記光学部材支持部材は、前記側面に対して傾斜した傾斜面を有し前記側面に対応する位置に設けられた入光部と、前記光源から前記側面を介して前記入光部に入光された光を前記光学部材支持部材の前記光学部材側に導光する導光部とを含む、表示装置。
【請求項２】
前記光学部材支持部材の側面は、前記光源からの光が入射される表側側面と、前記表側側面とは反対側の裏側側面とを含み、
前記入光部は、前記光学部材支持部材の前記裏側側面に設けられた傾斜面を有するとともに、前記傾斜面は、前記入光部に入光された光を前記導光部側に反射するように傾斜して配置されている、請求項１に記載の表示装置。
【請求項３】
前記光学部材支持部材は、前記光学部材と接触する接触部を含み、
前記導光部は、前記接触部を透過する光が屈折することによって影が生じる前記光学部材上の領域に対して、前記入光部から入光された光を出光させるように導光するように構成されている、請求項１または２に記載の表示装置。
【請求項４】
前記光学部材支持部材の光が入射される前記側面側から見て、前記入光部は、前記接触部に対して前記光学部材と平行な方向の位置が重なるように設けられているとともに、前記入光部の幅は、前記接触部の幅以上である、請求項３に記載の表示装置。
【請求項５】
前記光学部材支持部材は、前記導光部で導光された光を前記光学部材支持部材から出光するように構成されている出光部を含み、
前記出光部は、前記光学部材支持部材の前記接触部近傍に配置されており、前記光学部材の表面に対して略直交する面および前記光学部材に対して略平行な面を有する、請求項１〜４のいずれか１項に記載の表示装置。
【請求項６】
前記入光部は、前記光学部材支持部材のうち、前記入光部に光を入光させる前記光源と、前記光学部材の外縁部とを結ぶ直線よりも下方の部分に設けられている、請求項１〜５のいずれか１項に記載の表示装置。
【請求項７】
前記光源は、前記光学部材支持部材の前記光源からの光が入射される表側側面方向および前記表側側面とは反対側の裏側側面方向にそれぞれ配置される第１光源および第２光源を含み、
前記入光部は、前記光学部材支持部材のうち、前記第２光源から前記光学部材側に延ばした垂線と前記光学部材との交点と、前記第１光源とを結ぶ直線よりも下方の部分に設けられている、請求項１〜５のいずれか１項に記載の表示装置。
【請求項８】
前記光学部材支持部材は、前記光源からの光が入射される表側側面と、前記表側側面とは反対側の前記入光部の傾斜面が設けられている裏側側面とを含む平板形状に形成されており、
前記光学部材支持部材の前記表側側面と前記裏側側面とは、互いに略平行になるように形成されている、請求項１〜７のいずれか１項に記載の表示装置。
【請求項９】
前記入光部は、前記光源からの光を反射可能な反射材を含む、請求項１〜８のいずれか１項に記載の表示装置。
【請求項１０】
前記光源は、点光源を含む、請求項１〜９のいずれか１項に記載の表示装置。
【発明の詳細な説明】
【技術分野】
【０００１】
この発明は、表示装置に関し、特に、光学部材を支持する光学部材支持部材を備えた表示装置に関する。
【背景技術】
【０００２】
従来、光学部材を支持する光学部材支持部材を備えた表示装置が知られている（たとえば、特許文献１参照）。
【０００３】
上記特許文献１には、複数の光源の上方に所定の間隔を隔てて配置された光学板（光学部材）と、互いに隣接する光源の間にそれぞれ配置された複数の突起（光学部材支持部材）を有する電気光学装置（表示装置）が開示されている。この電気光学装置では、突起は、角柱形状を有する光透過性素材で構成されており、上面が光学板に当接することにより支持するように配置されている。
【先行技術文献】
【特許文献】
【０００４】
【特許文献１】特開２０１０−９９５０号公報
【発明の概要】
【発明が解決しようとする課題】
【０００５】
しかしながら、上記特許文献１に開示された電気光学装置では、光源から突起へ進入した光が、角柱形状を有する突起の側面で屈折されるかまたは突起の光学板を支持する上面で反射されるので、突起が光学板を支持する部分近傍に到達する光の量が少なることに起因して、影が形成されやすいという不具合がある。その結果、光学板を透過した光により映像等が表示される表示部において光量のむらが生じるという問題点がある。
【０００６】
この発明は、上記のような課題を解決するためになされたものであり、この発明の１つの目的は、光学部材支持部材が光学部材を支持する部分近傍に到達する光の量が少なくなることによって表示部において光量のむらが生じるのを抑制することが可能な表示装置を提供することである。
【課題を解決するための手段】
【０００７】
上記目的を達成するために、この発明の一の局面による表示装置は、表示部と、表示部の背面側に配置され、表示部に光を照射する光源と、表示部と光源との間に配置される光学部材と、光源からの光が側面に入射されるとともに、側面に入射された光を透過可能に構成され、光学部材を光学部材の背面側から支持する光学部材支持部材とを備え、光学部材支持部材は、側面に対して傾斜した傾斜面を有し側面に対応する位置に設けられた入光部と、光源から側面を介して入光部に入光された光を光学部材支持部材の光学部材側に導光する導光部とを含む。
【０００８】
この発明の一の局面による表示装置では、上記のように、光学部材支持部材は、側面に対して傾斜した傾斜面を有し側面に対応する位置に設けられた入光部と、光源から側面を介して入光部に入光された光を光学部材支持部材の光学部材側に導光する導光部とを含むことによって、光学部材支持部材の入光部に入光した光を導光部により光学部材支持部材の光学部材側に導光することができる。これにより、光学部材支持部材が光学部材を支持する部分近傍に到達する光の量が少なくなるのを抑制することができる。その結果、光学部材を透過した光によって表示される表示部における光量のむらが生じるのを抑制することができる。
【０００９】
上記一の局面による表示装置において、好ましくは、光学部材支持部材の側面は、光源からの光が入射される表側側面と、表側側面とは反対側の裏側側面とを含み、入光部は、光学部材支持部材の裏側側面に設けられた傾斜面を有するとともに、傾斜面は、入光部に入光された光を導光部側に反射するように傾斜して配置されている。このように構成すれば、傾斜面は、入光部に入光された光を導光部側に反射するように傾斜しているので、表側側面を介して光学部材支持部材内に入射された光を、傾斜面で導光部側に反射して、容易に導光部へ導光することができる。
【００１０】
上記一の局面による表示装置において、好ましくは、光学部材支持部材は、光学部材と接触する接触部を含み、導光部は、接触部を透過する光が屈折することによって影が生じる光学部材上の領域に対して、入光部から入光された光を出光させるように導光するように構成されている。このように構成すれば、影が生じる光学部材上の領域に対して、導光部により導光された光が出光されるので、光学部材上での光量むらが生じるのを効果的に抑制することができる。
【００１１】
この場合、好ましくは、光学部材支持部材の光が入射される側面側から見て、入光部は、接触部に対して光学部材と平行な方向の位置が重なるように設けられているとともに、入光部の幅は、接触部の幅以上である。このように構成すれば、光学部材支持部材に入射された光をより多く幅の大きい入光部に入光させることができるとともに、入光部に入光された光をより多く導光部により接触部へ導光させることができる。
【００１２】
上記一の局面による表示装置において、好ましくは、光学部材支持部材は、導光部で導光された光を光学部材支持部材から出光するように構成されている出光部を含み、出光部は、光学部材支持部材の接触部近傍に配置されており、光学部材の表面に対して略直交する面および光学部材に対して略平行な面を有する。このように構成すれば、光学部材の表面に対して略直交する面および光学部材に対して略平行な面の大きさを調整することにより、導光された光の出光方向を調節することができる。これにより、影が生じる光学部材上の領域に対して、より精度よく出光させることができるので、光学部材上での光量むらが生じるのをさらに抑制することができる。
【００１３】
上記一の局面による表示装置において、好ましくは、入光部は、光学部材支持部材のうち、入光部に光を入光させる光源と、光学部材の外縁部とを結ぶ直線よりも下方の部分に設けられている。このように構成すれば、光学部材と、光源と入光部とを結ぶ直線とは交わらないので、入光部の影が光学部材上に生じるのを抑制することができる。その結果、光学部材上での光量むらが生じるのをより効果的に抑制することができる。
【００１４】
上記一の局面による表示装置において、好ましくは、光源は、光学部材支持部材の光源からの光が入射される表側側面方向および前記表側側面とは反対側の裏側側面方向にそれぞれ配置される第１光源および第２光源を含み、入光部は、光学部材支持部材のうち、第２光源から光学部材側に延ばした垂線と光学部材との交点と、第１光源とを結ぶ直線よりも下方の部分に設けられている。このように構成すれば、入光部による影が、光学部材の表面上に生じる一方、第２光源からの光によって、この影の影響を軽減することができる。その結果、光学部材上での光量むらが生じるのをより効果的に抑制することができる。
【００１５】
上記一の局面による表示装置において、好ましくは、光学部材支持部材は、光源からの光が入射される表側側面と、表側側面とは反対側の入光部の傾斜面が設けられている裏側側面とを含む平板形状に形成されており、光学部材支持部材の表側側面と裏側側面とは、互いに略平行になるように形成されている。このように構成すれば、光学部材支持部材に入光された光を略一定の反射角で表側側面と裏側側面とに交互に反射させながら光学部材方向に導光することができる。その結果、容易に、光学部材支持部材内の光学部材側に導光することができる。
【００１６】
上記一の局面による表示装置において、好ましくは、入光部は、光源からの光を反射可能な反射材を含む。このように構成すれば、入光部に入光された光源からの光を、容易に、導光部に反射することができる。
【００１７】
上記一の局面による表示装置において、好ましくは、光源は、点光源を含む。このように構成すれば、線光源などを含む場合と異なり、光源を小型化することができる。
【発明の効果】
【００１８】
本発明によれば、上記のように、光学部材支持部材が光学部材を支持する部分近傍に到達する光の量が少なることに起因して、表示部において光量のむらが生じるのを抑制することが可能な表示装置を提供することができる。
【図面の簡単な説明】
【００１９】
【図１】本発明の第１実施形態による液晶テレビジョン装置の全体構成を示した斜視図である。
【図２】図１に示した液晶テレビジョン装置の背面図である。
【図３】図２の２００−２００線に沿った模式的な断面図である。
【図４】本発明の第１実施形態による液晶テレビジョン装置の分解斜視図である。
【図５】本発明の第１実施形態による反射シートの平面図である。
【図６】本発明の第１実施形態によるパネルポストの正面図である。
【図７】本発明の第１実施形態によるパネルポストの斜視図である。
【図８】図７のパネルポストの入光部の拡大図である。
【図９】図７のパネルポストの出光部の拡大図である。
【図１０】本発明の第１実施形態によるパネルポスト内の導光を説明するための図である。
【図１１】本発明の第１実施形態による傾斜面の傾斜角を説明するための図である。
【図１２】本発明の第１実施形態によるパネルポストからの出光を説明するための図である。
【図１３】本発明の第２実施形態によるパネルポストの正面図である。
【図１４】本発明の第２実施形態によるパネルポストの出光部の斜視図である。
【図１５】本発明の第３実施形態によるパネルポスト内への入光を説明するための図である。
【図１６】本発明の第４実施形態による液晶テレビジョン装置の断面の一部を示した図である。
【図１７】本発明の第１実施形態の第１変形例によるパネルポストの斜視図である。
【図１８】本発明の第１実施形態の第２変形例によるパネルポストの正面図である。
【図１９】本発明の第１実施形態の第２変形例によるパネルポストの接触部近傍の斜視図である。
【発明を実施するための形態】
【００２０】
以下、本発明の実施形態を図面に基づいて説明する。
【００２１】
まず、図１〜図１２を参照して、本発明の第１実施形態による液晶テレビジョン装置１００の構成について説明する。なお、液晶テレビジョン装置１００は、本発明の「表示装置」の一例である。
【００２２】
図１および図２に示すように、液晶テレビジョン装置１００は、映像が表示される液晶セルからなる表示部１と、表示部１を正面側（矢印Ｙ１方向側）から支持する樹脂製の前部筐体２と、液晶テレビジョン装置１００を下方（矢印Ｚ２方向側）から支持する樹脂製のスタンド部材３とを備える。具体的には、前部筐体２は、正面から見て（矢印Ｙ１方向側から見て）矩形状の外形を有する枠状に形成されている。前部筐体２の中央部近傍には、表示部１を正面側に露出させるための矩形状の開口部２ａが設けられている。また、図３に示すように、前部筐体２は、前方（矢印Ｙ１方向）に窪む凹形状に形成されている。
【００２３】
また、図３に示すように、液晶テレビジョン装置１００は、前部筐体２と背面側（矢印Ｙ２方向側）から組み合わされる板金製のリアフレーム４を備える。また、このリアフレーム４は、前部筐体２の背面側に嵌り込む矩形状の縁部４ａを有する。また、リアフレーム４は、後方（矢印Ｙ２方向）に窪む凹形状に形成されている。なお、リアフレーム４は、ネジ部材（図示せず）によって前部筐体２に固定されている。また、リアフレーム４の背面側には、リアフレーム４よりも小さい矩形状を有する樹脂製のカバー部材５が配置されている。カバー部材５は、リアフレーム４の背面に配置される電源基板や信号処理基板などの種々の基板（図示せず）を覆うように設けられている。また、カバー部材５は、ネジ部材（図示せず）によってリアフレーム４に固定されている。これらのリアフレーム４およびカバー部材５によって、前部筐体２に対応する後部筐体が構成されている。
【００２４】
図４に示すように、リアフレーム４の表面（矢印Ｙ１方向側の面）には、板金製のヒートシンク６が配置されている。また、ヒートシンク６の表面には、表示部１に背面側（矢印Ｙ２方向側）から光を照射する光源７が実装された基板８が配置されている。また、リアフレーム４の表面（矢印Ｙ１方向側の面）には、後述するパネルポスト１３の固定部１３ａと固定部１３ｂとがそれぞれ嵌められる複数のパネルポスト固定用開口４ｂおよび４ｃが設けられている。
【００２５】
ここで、第１実施形態では、光源７は、たとえば、白色ＬＥＤ（Ｌｉｇｈｔ  Ｅｍｉｔｔｉｎｇ  Ｄｉｏｄｅ）などによって構成されている。また、図４に示すように、光源７は、基板８の表面に、基板８の延びる方向（Ｘ方向）に沿って間隔を隔てて複数実装されている。なお、白色ＬＥＤは、本発明の「点光源」の一例である。
【００２６】
また、図３に示すように、基板８の光源７が実装された表面（矢印Ｙ１方向側の面）に、光源７をそれぞれ覆う拡散レンズ９が取り付けられている。この拡散レンズ９は、アクリルなどの樹脂により構成されており、光源７からの出射光を表示部１側に拡散する機能（図３の矢印付きの点線参照）を有する。なお、拡散レンズ９の底面の中央部近傍（基板８の表面の光源７に対応する位置）には、凹部９ａが設けられている。また、拡散レンズ９には、拡散レンズ９の底面から基板８側に延びる柱状のボス９ｂが設けられている。このボス９ｂが基板８の表面に接着されることにより、基板８の表面の光源７に対応する位置に拡散レンズ９が取り付けられる。
【００２７】
図４に示すように、基板８と拡散レンズ９との間には、光源７からの光を表示部１側に反射する樹脂製の反射シート１０が配置されている。この反射シート１０は、基板８の表面上に配置された状態で、リアフレーム４に沿った形状（矢印Ｙ２方向側に窪む凹形状）を有する。具体的には、反射シート１０は、左右方向（Ｘ軸方向）に延びる長方形形状を有する反射シート底面部１０ａと、反射シート底面部１０ａの４辺を取り囲むように配置される４つの反射シート斜面部１０ｂとを含む。なお、図３に示すように、反射シート底面部１０ａは、後述する拡散板１１に対して平行に延びるように形成されている。また、反射シート斜面部１０ｂは、反射シート底面部１０ａの端部からリアフレーム４の縁部４ａに向かって傾斜して延びるように形成されている。
【００２８】
また、図５に示すように、反射シート底面部１０ａには、複数の光源７（拡散レンズ９）にそれぞれ対応する複数の光源用開口部１０ｃが、左右方向（Ｘ軸方向）に間隔を隔てて一直線上に設けられている。そして、反射シート斜面部１０ｂには、リアフレーム４に固定されている後述するパネルポスト１３が反射シート１０を貫通して拡散板１１を支持するためのパネルポスト用開口部１０ｄが設けられている。なお、パネルポスト用開口部１０ｄは、光源７に対向する（図５の矢印Ｂ参照）位置にパネルポスト１３が配置されるように設けられている。
【００２９】
ここで、第１実施形態では、図４に示すように、液晶テレビジョン装置１００は、表示部１と光源７との間に配置される拡散板１１および光学シート１２を備える。具体的には、反射シート１０と表示部１との間に、拡散レンズ９により拡散された光を表示部１側にさらに拡散する樹脂製の拡散板１１が配置されている。また、拡散板１１は、Ｚ軸方向およびＸ軸方向に延びる平板状に形成されている。拡散板１１と表示部１との間には、拡散板１１を透過した光の偏光方向を揃えて表示部１へ出射する光学シート１２が配置されている。光学シート１２は、Ｚ軸方向およびＸ軸方向に延びるように形成されており、拡散板１１と同様の平板状に形成されている。なお、拡散板１１および光学シート１２は、本発明の「光学部材」の一例であり、パネルポスト１３は、本発明の「光学部材支持部材」の一例である。
【００３０】
図６〜図７に示すように、第１実施形態では、液晶テレビジョン装置１００は、光を透過可能に構成され、拡散板１１を拡散板１１の背面側から支持する後述するパネルポスト１３を備えている。パネルポスト１３は、光を透過可能な材料であるＰＣ（ポリカーボネート）により構成されている。また、パネルポスト１３は、幅Ｗおよび厚みｔを有する平板形状に形成されている。なお、パネルポスト１３は、本発明の「光学部材支持部材」の一例である。
【００３１】
また、図６〜図７に示すように、第１実施形態では、パネルポスト１３に、光源７からの光を入射する表側側面部１３ｉと、表側側面部１３ｉとは反対側に設けられた裏側側面部１３ｊと、裏側側面部１３ｊに設けられる入光部１３ｋと、入光部１３ｋで入光した光を導光する導光部１３ｌと、導光部１３ｌにより導光された光を出光する出光部１３ｄとが設けられている。また、パネルポスト１３は、拡散板１１と接触する接触部１３ｃと、接触部１３ｃから、外側に延びる上辺１３ｅおよび１３ｆと、上辺１３ｅおよび１３ｆから拡散板１１とは反対側に延びる側辺１３ｇおよび側辺１３ｈとを含む。また、パネルポスト１３は、リアフレーム４に、パネルポスト１３を固定するための固定部１３ａおよび１３ｂを含んでいる。なお、表側側面部１３ｉは、本発明の「側面」および「表側側面」の一例であり、裏側側面部１３ｊは、本発明の「側面」および「裏側側面」の一例である。
【００３２】
図６および図７に示すように、第１実施形態では、パネルポスト１３の表側側面部１３ｉと裏側側面部１３ｊとは、互いに略平行になるように形成されている。また、接触部１３ｃは、拡散板１１と先端で点接触して支持するように構成されており、幅Ｗ１を有する。そして、接触部１３ｃは、球面形状を有する。
【００３３】
図７および図８に示すように、第１実施形態では、入光部１３ｋは、表側側面部１３ｉに対して傾斜した傾斜面１３ｍを有しており、入光部１３ｋの表側側面部１３ｉに対応する位置に設けられている。また、この傾斜面１３ｍは、パネルポスト１３の裏側側面部１３ｊに設けられている。具体的には、図８に示すように、パネルポスト１３の裏側側面部１３ｊに、幅Ｗおよび高さｈの長方形形状の開口が設けられ、長方形形状の開口の上側に、傾斜面１３ｍが表側側面部１３ｉに対して傾斜するように形成されている。
【００３４】
図３に示すように、第１実施形態では、入光部１３ｋは、パネルポスト１３のうち、入光部１３ｋに光を入光させる光源７と、拡散板１１の外縁部１１ａとを結ぶ直線Ａよりも下方の部分に設けられている。また、図６に示すように、入光部１３ｋは、パネルポスト１３の光が入射される表側側面部１３ｉ側から見て、接触部１３ｃに対して拡散板１１と平行な方向の位置が重なるように設けられているとともに、入光部１３ｋの幅Ｗ２は、接触部の幅Ｗ１以上となるように形成されている。すなわち、Ｗ１とＷ２との関係は、Ｗ２≧Ｗ１である。
【００３５】
図１１および図１２に示すように、第１実施形態では、導光部１３ｌは、光源７から表側側面部１３ｉを介して入光部１３ｋに入光された光をパネルポスト１３の拡散板１１側に導光する。また、導光部１３ｌは、接触部１３ｃを透過する光が屈折することによって影が生じる拡散板１１上の領域１１ｂに対して、入光部１３ｋから入光された光を出光するようにに導光するように構成されている。具体的には、図１１に示すように、導光部１３ｌは、光源７からの光１３ｐが表側側面部１３ｉからパネルポスト１３内に入射した光の一部を、入光部１３ｋの傾斜面１３ｍによって反射することによりパネルポスト１３内に導光するように構成されている。そして、図１２に示すように、導光部１３ｌは、パネルポスト１３内に導光された光を接触部１３ｃ近傍までさらに導光する。また、導光部１３ｌは、接触部１３ｃを透過する光が屈折することによって影が生じる拡散板１１上の領域１１ｂの方向に出光できるように、表側側面部１３ｉの内側と裏側側面部１３ｊの内側との間で交互に反射を繰り返して導光する構造となっている。
【００３６】
図９に示すように、第１実施形態では、出光部１３ｄは、導光部１３ｌで導光された光をパネルポスト１３から出光するように構成されている。また、出光部１３ｄは、パネルポスト１３の接触部１３ｃ近傍に配置されており、拡散板１１の表面に対して略直交する面１３ｎおよび拡散板１１に対して略平行な面１３ｏを有する。具体的には、出光部１３ｄは、接触部１３ｃ近傍に形成されており、Ｘ−Ｙ軸平面に形成されている面１３ｎおよびＸ−Ｚ軸平面に形成面１３ｏを有する。そして、出光部１３ｄは、図１２に示すように、接触部１３ｃ近傍まで導光された光を、拡散板１１側に対して出光するように構成されている。
【００３７】
図６に示すように、パネルポスト１３は、固定部１３ａと固定部１３ｂとを備えている。具体的には、パネルポスト１３の固定部１３ａと固定部１３ｂとは、パネルポスト１３の下方に設けられている。固定部１３ａには、一対の引っ掛かり部が設けられており、パネルポスト固定用開口４ｂに一旦嵌められると抜けにくくなるように形成されている。また、固定部１３ｂは、パネルポスト固定用開口４ｃに嵌められることによって、パネルポスト１３が回転するのを防止している。これらにより、パネルポスト１３が固定される。
【００３８】
次に、図１１を参照して、光源７から出射された光１３ｐが傾斜面１３ｍに対して全反射する最小の角度である臨界角θ２について説明する。
【００３９】
図１１に示すように、光源７から出射された光１３ｐのうち、表側側面部１３ｉから入射した光の入射角は、傾斜面１３ｍに対して垂直な直線Ｃ１と光の進行方向とのなす角θ１によって表すことができる。この表側側面部１３ｉから入射した光が、傾斜面１３ｍにおいて全反射する最小の入射角は、傾斜面１３ｍに対して垂直な直線Ｃ１と全反射する光の進行方向Ｃ３とのなす角で表され、臨界角θ２として表される。そして、入射角θ１は臨界角θ２よりも大きな角度となるように形成されている。すなわち、θ１とθ２との関係は、θ１＞θ２となるように形成されている。上記の関係を満たすように、傾斜面１３ｍは、表側側面部１３ｉに対して傾斜角度θ３となるように形成されている。
【００４０】
次に、図１０〜図１２を参照して、光源７から出射された光が、パネルポスト１３内に入光し、導光される動作について説明する。
【００４１】
図１０に示すように、光源７から出射された光１３ｐのうち、表側側面部１３ｉから入射角θ１で入射した光は、傾斜面１３ｍによって全反射され、導光部１３ｌへ導光される。図１２に示すように、導光部１３ｌによってパネルポスト１３内で導光された光は、接触部１３ｃ近傍まで導光され、出光部１３ｄによって拡散板１１の領域１１ｂ方向に出光される。具体的には、導光部１３ｌは、入光部１３ｋの傾斜面１３ｍにより全反射されて入光した光をＹ１方向に一定の反射角（全反射された光と裏側側面部１３ｊの表面に垂直な直線Ｃ４およびＣ５とのなす角）θ４で、裏側側面部１３ｊの内側と表側側面部１３ｉの内側とに交互に反射させながら導光する。そして、導光部１３ｌにより導光された光は、接触部１３ｃ近傍まで導光される。導光された光は、接触部１３ｃ近傍に設けられている出光部１３ｄより出光される。出光された光は、光源７からの光１３ｐが接触部１３ｃで屈折されて光の量が少なくなることにより生じた影の領域１１ｂに照射される。
【００４２】
第１実施形態では、以下のような効果を得ることができる。
【００４３】
第１実施形態では、上記のように、表示部１と、表示部１の背面側に配置し、表示部１に光を照射する光源７と、表示部１と光源７との間に配置している光学シート１２および拡散板１１と、光源７からの光１３ｐを表側側面部１３ｉに入射するとともに、表側側面部１３ｉに入射した光を透過可能に構成し、光学シート１２および拡散板１１を背面側から支持するパネルポスト１３とを備え、パネルポスト１３は、表側側面部１３ｉに対して傾斜角θ３で傾斜した傾斜面１３ｍを有し表側側面部１３ｉに対応する位置に設けた入光部１３ｋと、光源７から表側側面部１３ｉを介して入光部１３ｉに入光された光をパネルポスト１３の拡散板１１側に導光する導光部１３ｌとを含む。これにより、パネルポスト１３に入光部１３ｋから入光した少なくとも一部の光がパネルポスト１３内で導光された光を拡散板１１側に導光することができる。これにより、パネルポスト１３が拡散板１１を支持する部分近傍に到達する光の量が少なくなるのを抑制することができる。その結果、拡散板１１を透過した光によって表示される表示部１における光量のむらが生じるのを抑制することができる。
【００４４】
また、第１実施形態では、上記のように、パネルポスト１３の側面は、光源７からの光が入射する表側側面部１３ｉと、表側側面部１３ｉとは反対側の裏側側面部１３ｊとを含み、入光部１３ｋは、パネルポスト１３の裏側側面部１３ｊに設けられた傾斜面１３ｍを有するとともに、傾斜面１３ｍは、入光部１３ｋに入光された光を導光部１３ｌ側に反射するように傾斜して配置されている。これにより、傾斜面１３ｍは、入光部１３ｋに入光された光を導光部１３ｌ側に反射するように傾斜しているので、表側側面部１３ｉを介してパネルポスト１３内に入射された光を、傾斜面１３ｍで導光部１３ｌ側に反射して、容易に導光部１３ｌへ導光することができる。
【００４５】
また、第１実施形態では、上記のように、パネルポスト１３は、拡散板１１と接触する接触部１３ｃを含み、導光部１３ｌを、接触部１３ｃを透過する光が屈折することによって影が生じる拡散板１１上の領域１１ｂに対して、入光部１３ｋから入光した光を出光させるように導光するように構成する。これにより、影が生じるパネルポスト１３上の領域に対して、導光部１３ｌにより導光された光が出光されるので、拡散板１１上での光量むらが生じるのを効果的に抑制することができる。
【００４６】
また、第１実施形態では、上記のように、パネルポスト１３の光が入射される表側側面部１３ｉ側から見て、入光部１３ｋを、接触部１３ｃに対して拡散板１１と平行な方向の位置が重なるように設けるとともに、入光部１３ｋの幅Ｗ２を、接触部１３ｃの幅Ｗ１以上にする。これにより、パネルポスト１３に入射光をより多く幅の大きい入光部１３ｋに入光させることができるとともに、入光部１３ｋに入光した光をより多く導光部１３ｌにより接触部１３ｃへ導光させることができる。
【００４７】
また、第１実施形態では、上記のように、パネルポスト１３は、導光部１３ｌで導光した光をパネルポスト１３から出光するように構成されている出光部１３ｄを含み、出光部１３ｄは、パネルポスト１３の接触部１３ｃ近傍に配置しており、拡散板１１の表面に対して略直交する面１３ｎおよび拡散板１１に対して略平行な面１３ｏを有する、これにより、拡散板１１の表面に対して略直交する面１３ｎおよび拡散板１１に対して略平行な面１３ｏの大きさを調整することにより、導光された光の出光方向を調節することができる。その結果、影が生じる拡散板１１上の領域１１ｂに対して、より精度よく出光させることができるので、拡散板１１上での光量むらが生じるのをさらに抑制することができる。
【００４８】
また、第１実施形態では、上記のように、入光部１３ｋを、パネルポスト１３のうち、入光部１３ｋに光を入光させる光源７と、拡散板１１の外縁部１１ａとを結ぶ直線Ａよりも下方の部分に設ける。これにより、拡散板１１と、光源７と入光部１３ｋとを結ぶ直線Ａとは交わらないので、入光部１３ｋの影が拡散板１１上に生じるのを抑制することができる。その結果、拡散板１１上での光量むらが生じるのをより効果的に抑制することができる。
【００４９】
また、第１実施形態では、上記のように、パネルポスト１３は、光源７からの光を入射させる表側側面部１３ｉと、表側側面部１３ｉとは反対側の入光部１３ｋの傾斜面１３ｍを設ける裏側側面部１３ｊとを含む平板形状に形成しており、パネルポスト１３の表側側面部１３ｉと裏側側面部１３ｊとを、互いに略平行になるように形成する。これにより、パネルポスト１３に入光された光を略一定の反射角θ４で表側側面部１３ｉと裏側側面部１３ｊとに交互に反射させながら拡散板１１方向に導光することができる。その結果、容易に、パネルポスト１３内の拡散板１１側に導光することができる。
【００５０】
また、第１実施形態では、上記のように、光源７は、白色ＬＥＤ（点光源）を含む。これにより、光源７を小型化することができる。
【００５１】
（第２実施形態）
次に、図１３および図１４を参照して、第２実施形態によるパネルポスト１３１の構成について説明する。第２実施形態では、出光部１３ｄと接触部１３ｃとが別々に設けられていた、第１実施形態のパネルポスト１３と異なり、接触部１３１ａが出光部を兼ねるように構成されている。
【００５２】
図１３および図１４に示すように、第２実施形態では、パネルポスト１３１の接触部１３１ａは、略半球形状に形成されている。また、接触部１３１ａは、拡散板１１と接触する部分を有する。そして、接触部１３１ａは、出光部を兼ねるように構成されている。また、第２実施形態によるパネルポスト１３１のその他の構成は、上記第１実施形態と同様である。
【００５３】
第２実施形態では、以下のような効果を得ることができる。上記のように、パネルポスト１３１を、接触部１３１ａが出光部を兼ねるように構成する。これにより、接触部と出光部とを別々に設ける場合と比べて、接触部１３１ａの体積を大きくすることができるので、接触部１３１ａの機械的強度を大きくすることができる。また、接触部１３１ａが出光部を兼ねる分、パネルポスト１３１の構成を簡略化することができる。なお、第２実施形態によるパネルポスト１３１のその他の効果は、上記第１実施形態と同様である。
【００５４】
（第３実施形態）
次に、図１５を参照して、第３実施形態によるパネルポスト１３２の構成について説明する。第３実施形態では、入光部１３ｋの傾斜面１３ｍが平面形状を有するように構成されていた、第１実施形態のパネルポスト１３と異なり、入光部１３２ａの傾斜面１３２ｂは曲面形状を有するように構成されている。
【００５５】
図１５に示すように、第３実施形態では、入光部１３２ａの傾斜面１３２ｂは、矢印Ｙ２方向に凹面を描くように曲面形状を有する。また、第３実施形態によるパネルポスト１３２のその他の構成は、上記第１実施形態と同様である。
【００５６】
第３実施形態では、以下のような効果を得ることができる。上記のように、入光部１３２ａの傾斜面１３２ｂは、曲面形状を有する。これにより、光源７から出射された光１３ｐがパネルポスト１３２内に入射した光のうち、入光部１３２ａに対してより広い角度から入射した光を導光部１３２ｃに導光することができる。また、第３実施形態によるパネルポスト１３１のその他の効果は、上記第１実施形態と同様である。
【００５７】
（第４実施形態）
次に、図１６を参照して、第４実施形態による液晶テレビジョン装置１０１の構成について説明する。第４実施形態では、パネルポスト１３の入光部１３ｋの位置が、光源７と、パネルポスト１３と、拡散板１１の端部１１ａとの位置関係で定められていた、第１実施形態による液晶テレビジョン装置１００と異なり、パネルポスト１３３の入光部１３ｋが、第１光源７ａと、第２光源７ｂと、パネルポスト１３との位置関係で定められている。
【００５８】
図１６に示すように、２つの基板(一方の基板８ａおよび他方の基板８ｂ)上に、複数の光源（第１光源７ａおよび第２光源７ｂ）が一方の基板８ａおよびの延びる方向（Ｘ軸方向）に沿ってそれぞれ１列に実装されている。また、パネルポスト１３３は、第１光源７ａと、第２光源７ｂとの略中間の位置のリアフレーム４上に配置されている。そして、一方の基板８ａ上に配置されている第１光源７ａに対して、表側側面部１３ｉが対向するように配置されている。また、他方の基板８ｂ上に配置されている第２光源７ｂに対して、裏側側面部１３ｊが対向するように配置されている。ここで、第４実施形態では、光源７は、パネルポスト１３３の光源７からの光が入射される表側側面部１３ｉ方向（矢印Ｚ２方向）および表側側面１３ｉとは反対側の裏側側面部１３ｊ方向（矢印Ｚ１方向）にそれぞれ配置される第１光源７ａおよび第２光源７ｂを含む。また、入光部１３ｋは、パネルポスト１３３のうち、第２光源７ｂから拡散板１１側（矢印Ｙ１方向）に延ばした垂線Ｄ１と拡散板１１との交点Ｅと、第１光源７ａとを結ぶ直線Ｄ２よりも下方の部分に設けている。また、第４実施形態による液晶テレビジョン装置１０１のその他の構成は、上記第１実施形態と同様である。
【００５９】
第４実施形態では、以下のような効果を得ることができる。上記のように、入光部１３ｋを、パネルポスト１３３のうち、第２光源７ｂから拡散板１１側（矢印Ｙ１方向）に延ばした垂線Ｄ１と拡散板１１との交点Ｅと、第１光源７ａとを結ぶ直線Ｄ２よりも下方の部分に設ける。これにより、入光部１３ｋによる影が、拡散板１１の表面上に生じる一方、第２光源７ｂからの光によって、この影の影響を軽減することができる。その結果、拡散板１１上での光量むらが生じるのをより効果的に抑制することができる。
【００６０】
（第５実施形態）
次に、第５実施形態によるパネルポスト１３４の構成について説明する。第５実施形態では、以下のような効果を得ることができる。第１実施形態のパネルポスト１３と異なり、パネルポスト１３４における入光部１３４ａは、光源７からの光を反射可能な反射材を含む。これにより、入光部１３４ａに入光された光源７からの光を、容易に、導光部１３ｌに反射することができる。また、第５実施形態によるパネルポスト１３４のその他の構成および効果は、上記第１実施形態と同様である。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６２】
たとえば、上記第１〜第５実施形態では、本発明の表示装置の一例としてテレビジョン装置を用いる例を示したが、本発明はこれに限らない。本発明は、テレビジョン装置以外の表示装置に用いてもよい。たとえば、ＰＣ（Ｐｅｒｓｏｎａｌ  Ｃｏｍｐｕｔｅｒ）用のディスプレイ装置などの一般的な表示装置に用いてもよい。
【００６３】
また、上記第１〜第５実施形態では、本発明の板状の光学部材の一例として、樹脂製の拡散板を用いる例を示したが、本発明はこれに限らない。本発明では、樹脂製の拡散板以外の板状の光学部材を用いてもよい。
【００６４】
また、上記第１〜第５実施形態では、複数の光源が一直線上に実装された基板を１つ（１列）または２つ（２列）設ける例を示したが、本発明はこれに限らない。本発明では、複数の光源が一直線上に実装された基板を３つ（３列）以上設けてもよい。
【００６５】
また、上記第１〜第５実施形態では、６つのパネルポストを配置する例を示したが、本発明はこれに限らない。本発明では、７つ以上または６つ未満のパネルポストを配置してもよい。
【００６６】
また、上記第１〜第５実施形態では、パネルポストを平板形状に形成する例を示したが、本発明はこれに限らない。本発明では、パネルポストを平板形状に形成しなくてもよい。たとえば、図１７に示すように、第１変形例に示すように、パネルポストを円錐状に形成してもよい。
【００６７】
ここで、第１変形例では、図１７に示すように、パネルポスト１３５は、接触部１３ｃから固定部１３ａおよび１３ｂまで延びる側面１３５ａによって円錐形状を有している。また、入光部１３５ｂは、幅Ｗ２および高さｈ１で形成されている。そして、入光部１３５ｂは、光源７とは反対側（矢印Ｚ１方向側）に設けられている。
【００６８】
また、第２変形例では、図１８および図１９に示すように、パネルポスト１３６は、拡散板１１と接触する部分である接触部１３６ａが設けられている。また、接触部１３６ａ近傍に拡散板１１の表面に対して直交する方向の面（Ｘ−Ｙ軸平面）および拡散板１１に対して平行な面（Ｘ−Ｚ軸平面）を有する出光部１３６ｂが配置されている。また、接触部１３６ａから外側に延びる２つの上辺１３６ｃおよび１３６ｄと、上辺１３６ｃおよび１３６ｄから拡散板１１と反対方向へ延びる２つの側辺１３６ｅおよび１３６ｆとを有する。接触部１３６ａは、曲面形状に形成されており、拡散板１１と線接触する。また、側辺１３６ｅは、上辺１３６ｃから拡散板１１に対して垂直方向に延びる直線形状と、直線形状の下端からパネルポスト１３６の中心側へ傾斜して延びる直線形状とを有している。側辺１３６ｆも同様に、上辺１３６ｄから拡散板１１に対して垂直方向に延びる直線形状と、直線形状の下端からパネルポスト１３６の中心側へ傾斜して延びる直線形状とを有している。そして、側辺１３６ｅと側辺１３６ｆとの間の幅はＷ３となる表側側面部１３６ｇおよび裏側側面部１３６ｈを有する。また、パネルポスト１３６は、上側の辺の長さが下側の辺の長さよりも長い角の丸い台形形状の開口部１３６ｉが設けられている。
【００６９】
また、上記第１〜第５実施形態では、パネルポストの接触部を球面形状に形成する例を示したが、本発明はこれに限らない。本発明では、パネルポストの接触部を球面形状に形成しなくてもよい。たとえば、第２変形例に示すように、パネルポストの接触部を曲面形状に形成し、拡散板と線接触するように構成してもよい。
【００７０】
また、上記第１〜第５実施形態では、パネルポストに開口部を設けていない例を示したが、本発明はこれに限らない。本発明では、パネルポストのうちの反射シートよりもリアフレーム側にあり、光源からの光がパネルポストを透過して拡散板に当たらない領域に開口部を形成してもよい。たとえば、第２変形例では、角の丸い台形形状の開口部を形成している。
【００７１】
また、上記第１〜第５実施形態では、パネルポストの入光部の形状は矢印Ｚ２方向から見て、四角形形状で形成される例を示したが、本発明はこれに限らない。本発明では、入光部の形状は矢印Ｚ２方向に見て、四角形形状で形成されなくてもよい。たとえば、矢印Ｚ１方向から見て、三角形形状でもよいし、丸形状でもよい。
【００７２】
また、上記第１〜第５実施形態では、パネルポストの入光部は、接触部に対して拡散板１１と平行な方向の位置が重なるように設けられている例を示したが、本発明はこれに限らない。本発明では、接触部に対して拡散板１１と平行な方向の位置が一部ずれて配置されていてもよい。
【符号の説明】
【００７３】
１  表示部
７  光源
７ａ  第１光源
７ｂ  第２光源
１１  拡散板（光学部材）
１１ａ  外縁部
１１ｂ  領域
１２  光学シート（光学部材）
１３、１３１、１３２、１３３，１３４，１３５，１３６、  パネルポスト（光学部材支持部材）
１３ｃ、１３１ａ、１３６ａ  接触部
１３ｄ、１３６ｂ  出光部
１３ｉ、１３６ｇ  表側側面部（側面、裏側側面）
１３ｊ、１３６ｈ、  裏側側面部（側面、裏側側面）
１３ｋ、１３２ａ、１３４ａ、１３５ｂ、  入光部
１３ｌ  導光部
１３ｍ、１３２ｂ，  傾斜面
１３ｎ  面（光学部材の表面に対して略直交する面）
１３ｏ  面（光学部材に対して略平行な面）
１３ｐ  光（光源からの光）
１００、１０１  液晶テレビジョン装置（表示装置）
１３５ａ  側面
Ａ、Ｃ２  直線
Ｃ１  垂線
Ｄ  交点
【図１】
2015038829.tif 000003
【図２】
2015038829.tif 000004
【図３】
2015038829.tif 000005
【図４】
2015038829.tif 000006
【図５】
2015038829.tif 000007
【図６】
2015038829.tif 000008
【図７】
2015038829.tif 000009
【図８】
2015038829.tif 000010
【図９】
2015038829.tif 000011
【図１０】
2015038829.tif 000012
【図１１】
2015038829.tif 000013
【図１２】
2015038829.tif 000014
【図１３】
2015038829.tif 000015
【図１４】
2015038829.tif 000016
【図１５】
2015038829.tif 000017
【図１６】
2015038829.tif 000018
【図１７】
2015038829.tif 000019
【図１８】
2015038829.tif 000020
【図１９】
2015038829.tif 000021